(57)【要約】【課題】適切な屈曲位置が容易に得られる靴１７の提供。【解決手段】靴本体１と、シャンク３と、このシャンク３とは長さが異なる１又は２以上のシャンクとにより、靴セットが構成される。靴本体１は、アッパー５とソール７とからなる。ソール７は、インソール９、ミッドソール１１及びアウトソール１３からなる。アウトソール１３には、配設部１５が形成されている。配設部１５は、アウトソール１３の下面から凹陥している。シャンク３は、配設部１５にはめ込まれている。シャンク３は、配設部１５に固定されている。ソール７の屈曲位置は、シャンク３の前端の近傍である。長さの異なるシャンクが配設されることにより、屈曲位置が調整されうる。長さが変更されうるシャンクが用いられてもよい。【選択図】  図１
2004167050.tif 000002
【特許請求の範囲】
【請求項１】
ソール及びアッパーを備えており、このソールに配設部が形成されており、互いに長さの異なる複数種類のシャンクから選択された任意のシャンクが配設部に配設されうるように構成された靴本体。
【請求項２】
配設部が形成されたソールとアッパーとを含む靴本体と、いずれも配設部に配設されうるように構成された互いに長さの異なる複数種類のシャンクとからなる靴セット。
【請求項３】
上記シャンクの前端が幅方向に対して所定角度で傾斜している請求項２に記載の靴セット。
【請求項４】
配設部が形成されたソールとアッパーとを含む靴本体と、この配設部に配設されるシャンクとを備えており、このシャンクがその長さが変更されうるように構成された靴。
【請求項５】
幅方向に対するその前端の傾斜角度が変更されうるように上記シャンクが構成された請求項４に記載の靴。
【発明の詳細な説明】
【０００１】
【発明の属する技術分野】
本発明は、シャンクを備えた靴に関する。
【０００２】
【従来の技術】
シャンクを備えた靴が市販されている。シャンクにより、土踏まずに相当する部位の変形が抑制され、履き心地が高められる。歩行時には、靴のソールは屈曲する。屈曲位置は、シャンクの前端近傍である。シャンクを備えた靴が、特開平１１−１８８０３号公報及び特開２００１−１３７００４公報に開示されている。
【０００３】
【特許文献１】
特開平１１−１８８０３号公報
【特許文献２】
特開２００１−１３７００４公報
【０００４】
【発明が解決しようとする課題】
足の屈曲位置は、歩行者の体格及び歩行形態に依存する。着用者によって、屈曲位置は千差万別である。一方、ソールの屈曲位置は、前述のようにシャンク前端の位置に依存する。着用者が購入した市販の靴の屈曲位置が、この着用者の足の屈曲位置と一致することは希である。ソールの屈曲位置が足の屈曲位置と異なる靴は、着用者にとって履き心地の悪いものである。ソールの屈曲位置と足の屈曲位置とが異なると、着用者は疲労しやすい。生体工学の見地から、ソールの屈曲位置と足の屈曲位置とが一致するのが好ましい。
【０００５】
屈曲位置の一致の目的で着用者の個性に応じてオーダーメイドされた靴は、着用者にとって履き心地のよいものである。しかし、オーダーメイドには手間がかかる。オーダーメイドの靴は、概して高価である。
【０００６】
本発明はこのような実情に鑑みてなされたものであり、適切な屈曲位置が容易に得られる靴の提供をその目的とする。
【０００７】
【課題を解決するための手段】
本発明に係る靴本体は、ソール及びアッパーを備えている。このソールには、配設部が形成されている。互いに長さの異なる複数種類のシャンクから選択された任意のシャンクが、配設部に配設されうる。シャンクが靴本体に配設されることにより、靴が完成する。選択されるシャンクの長さに応じて、ソールの屈曲位置が調整されうる。適切な長さのシャンクが選択されることにより、履き心地が向上する。
【０００８】
本発明に係る靴セットは、靴本体と、互いに長さの異なる複数種類のシャンクとからなる。靴本体は、配設部が形成されたソールとアッパーとを含む。いずれのシャンクも、配設部に配設されうる。シャンクが靴本体に配設されることにより、靴が完成する。選択されるシャンクの長さに応じて、ソールの屈曲位置が調整されうる。適切な長さのシャンクが選択されることにより、履き心地が向上する。
【０００９】
好ましくは、シャンクの前端は、幅方向に対して所定角度で傾斜している。このシャンクにより、ソールのボールフレックスアングルと足のボールフレックスアングルとが適合される。
【００１０】
本発明に係る靴は、靴本体とシャンクとを備える。靴本体は、配設部が形成されたソールとアッパーとを含む。シャンクは、その長さが変更されうるように構成される。このシャンクは、靴本体に配設される。シャンクの長さが変更されることにより、ソールの屈曲位置が調整されうる。シャンクが適切な長さに調整されることにより、履き心地が向上する。
【００１１】
好ましくは、シャンク前端の幅方向に対する傾斜角度が変更されうるように、シャンクが構成される。このシャンクにより、ソールのボールフレックスアングルが調整されうる。シャンク前端が適切な傾斜角度に設定されることにより、履き心地が向上する。
【００１２】
【発明の実施の形態】
以下、適宜図面が参照されつつ、好ましい実施形態に基づいて本発明が詳細に説明される。
【００１３】
図１（ａ）は本発明の一実施形態に係る靴本体１がシャンク３と共に示された一部切り欠き断面図であり、図１（ｂ）はその底面図である。この靴本体１は、左足用である。右足用の靴本体は、図１の形状が反転された形状を呈する。靴本体１と、シャンク３と、このシャンク３とは長さが異なる１又は２以上のシャンクとにより、靴セットが構成される。
【００１４】
靴本体１は、アッパー５とソール７とからなる。アッパー５は、紐８を備えている。アッパー５は、紐８を除き、皮革、合成皮革、織布等からなる。ソール７は、インソール９、ミッドソール１１及びアウトソール１３からなる。各ソール９、１１、１３は、ポリマー組成物からなる。アウトソール１３には、配設部１５が形成されている。配設部１５は、アウトソール１３の下面から凹陥している。
【００１５】
図２は、図１のシャンク３が示された拡大斜視図である。図２から明らかなようにシャンク３は板状であり、その平面形状は長方形である。図１に示されるように、シャンク３は配設部１５にはめ込まれている。シャンク３は、接着剤、スナップ、両面テープ、面ファスナー等の手段により、配設部１５と固定されている。シャンク３の後端（踵側の端）は、配設部１５の後端と当接している。靴本体１にシャンク３が配設されることにより、靴１７が完成する。
【００１６】
シャンク３は、ソール７よりも高剛性な材料から形成されている。通常は、シャンク３は金属からなる。典型的な金属材料は、スチール、ステンレススチール及びアルミニウム合金である。硬質合成樹脂、繊維強化樹脂又はセラミクスからシャンク３が形成されてもよい。
【００１７】
図１から明らかなように、シャンク３の長さ（図１における左右方向の距離）は配設部１５の長さよりも小さい。従って、シャンク３が配設された後の配設部１５には、スペース１９が形成される。図１に示されたシャンク３よりも長いシャンクが、配設部１５に配設されうる。図１に示されたシャンク３よりも短いシャンクが、配設部１５に配設されてもよい。靴セットに含まれるシャンクの中で最も長いシャンクと同等以上の長さに配設部１５が設定されることにより、任意のシャンクが配設部１５に配設されうる。スペース１９に、図示されていないスペーサーが配設されてもよい。
【００１８】
図３は、図１の靴１７の着用者が歩行しているときの靴１７が示された一部切り欠き断面図である。ソール７の下面の踵側は、地面Ｇから離れている。ソール７は、屈曲している。シャンク３は高剛性なので、屈曲位置Ｐはシャンク３の前端付近である。より短いシャンクが配設され、その前端が踵側に移行されることにより、屈曲位置Ｐが踵側に移行する。より長いシャンクが配設され、その前端が爪先側に移行されることにより、屈曲位置Ｐが爪先側に移行する。換言すれば、選択されるシャンクの長さに応じて、ソール７の屈曲位置Ｐが調整されうる。着用者の足の屈曲位置に適したシャンクが選択されることにより、足の屈曲位置とソール７の屈曲位置Ｐとが一致する。両者が一致すれば、優れた履き心地が得られる。両者が一致した場合、着用者の疲労が軽減される。
【００１９】
靴セットには、例えば１３０ｍｍから２１０ｍｍの範囲の、互いに長さの異なる複数のシャンクが含まれる。シャンクの長さは、例えば１０ｍｍ刻みに設定される。シャンク３の厚みは制限されないが、通常は０．５ｍｍから３．０ｍｍである。シャンク３の幅は、通常は１５ｍｍから６０ｍｍである。
【００２０】
図４は、本発明の他の実施形態に係る靴セットに含まれるシャンク２１が示された斜視図である。このシャンク２１は、高剛性な材料からなる。このシャンク２１は板状であり、その前端２３は幅方向に対して傾斜している。このシャンク２１は、図１に示されたシャンク３と同様に、靴本体１の配設部１５に配設される。靴セットには、このシャンク２３と共に、このシャンク２３とは長さの異なる他のシャンクも含まれる。
【００２１】
図５（ａ）は図４のシャンク２３が用いられた靴２５が示された底面図であり、図５（ｂ）はこの靴２５の着用者の足の骨格２７が示された底面図である。図５（ａ）には、靴２５のアウトソール１３が示されている。図５（ｂ）における二点鎖線Ｌｂは、足の屈曲位置を表している。この二点鎖線Ｌｂは、第一中足骨骨頭部の中心と第五中足骨骨頭部の中心とを結んでいる。母趾側の屈曲位置は、小趾側の屈曲位置よりも爪先側である。換言すれば、二点鎖線Ｌｂは幅方向に対して傾斜している。その傾斜角度は、「ボールフレックスアングル」と称される。
【００２２】
図５（ａ）における二点鎖線Ｌａは、アウトソール１３の屈曲位置を表している。この二点鎖線Ｌａは、シャンク２１の前端２３とほぼ一致している。この靴２５では前端２３が傾斜しているシャンク２１が用いられているので、二点鎖線Ｌａは幅方向に対して傾斜している。傾斜角度θは、ソールのボールフレックスアングルである。図５（ａ）と図５（ｂ）との対比から明らかなように、ソールのボールフレックスアングルθは、足のボールフレックスアングルと一致している。この靴２５は、着用者にとって履き心地のよいものである。
【００２３】
図６（ａ）は本発明のさらに他の実施形態に係る靴セットに含まれるシャンク２９が示された平面図であり、図６（ｂ）は図６（ａ）のＢ−Ｂ線に沿った断面図である。この靴セットは、靴本体と単一のシャンク２９とを含む。このシャンク２９は、図１に示されたシャンク３と同様に、靴本体１の配設部１５に配設される。
【００２４】
シャンク２９は、爪先側プレート３１と踵側プレート３３とからなる。爪先側プレート３１及び踵側プレート３３は、高剛性な材料からなる。爪先側プレート３１は、筒状である。爪先側プレート３１には、踵側プレート３３が差し込まれている。爪先側プレート３１と踵側プレート３３とは、スライド自在である。スライドにより、シャンク２９の全長が変動する。シャンク２９の全長が短く設定されその前端３５が踵側に移行されることにより、屈曲位置が踵側に移行する。シャンク２９の全長が長く設定されその前端３５が爪先側に移行されることにより、屈曲位置が爪先側に移行する。換言すれば、設定されるシャンク２９の長さに応じて、ソールの屈曲位置が調整されうる。着用者の足の屈曲位置に適したシャンク２９の長さが設定されることにより、足の屈曲位置とソールの屈曲位置とが一致する。両者が一致すれば、優れた履き心地が得られる。両者が一致した場合、着用者の疲労が軽減される。
【００２５】
このシャンク２９の前端３５は、幅方向に対して傾斜している。この前端３５により、ソールのボールフレックスアングルが足のボールフレックスアングルと一致されうる。
【００２６】
図７は、本発明のさらに他の実施形態に係る靴セットに含まれるシャンク３７が示された平面図である。この靴セットは、靴本体と単一のシャンク３７とを含む。このシャンク３７は、図１に示されたシャンク３と同様に、靴本体１の配設部１５に配設される。
【００２７】
シャンク３７は、爪先側プレート３９と、踵側プレート４１と、ヘッド４３とを含む。爪先側プレート３９、踵側プレート４１及びヘッド４３は、高剛性な材料からなる。爪先側プレート３９は、筒状である。爪先側プレート３９には、踵側プレート４１が差し込まれている。爪先側プレート３９と踵側プレート４１とは、スライド自在である。スライドにより、シャンク３７の全長が変動する。シャンク３７の全長が短く設定されその前端４５が踵側に移行されることにより、屈曲位置が踵側に移行する。シャンク３７の全長が長く設定されその前端４５が爪先側に移行されることにより、屈曲位置が爪先側に移行する。換言すれば、設定されるシャンク３７の長さに応じて、ソールの屈曲位置が調整されうる。着用者の足の屈曲位置に適したシャンク３７の長さが設定されることにより、足の屈曲位置とソールの屈曲位置とが一致する。両者が一致すれば、優れた履き心地が得られる。両者が一致した場合、着用者の疲労が軽減される。
【００２８】
ヘッド４３は、軸ピン４７によって爪先側プレート３９に連結されている。ヘッド４３は、軸ピン４７を支点として、爪先側プレート３９に対して回動自在である。回動により、ヘッド４３の前端４５の、シャンク３７の幅方向に対する傾斜角度が変動する。変動により、ソールのボールフレックスアングルが調整されうる。ソールのボールフレックスアングルと足のボールフレックスアングルとが一致することにより、靴の履き心地が向上する。
【００２９】
図８は、本発明のさらに他の実施形態に係る靴本体４９がシャンク５１と共に示された一部切り欠き断面図である。靴本体４９と、シャンク５１と、このシャンク５１とは長さが異なる１又は２以上のシャンクとにより、靴セットが構成される。靴本体４９は、アッパー５とソール５３とからなる。ソール５３は、インソール５５、ミッドソール５７及びアウトソール５９からなる。ミッドソール５７には、配設部６１が形成されている。配設部６１は、ミッドソール５７の上面から凹陥している。シャンク５１は、高剛性な材料からなる。シャンク５１は配設部６１にはめ込まれている。シャンク５１は、接着剤、スナップ、両面テープ、面ファスナー等の手段により、配設部６１と固定されている。シャンク５１の後端は、配設部６１の後端と当接している。靴本体４９にシャンク５１が配設されることにより、靴６３が完成する。
【００３０】
図８から明らかなように、シャンク５１の長さは配設部６１の長さよりも小さい。従って、シャンク５１が配設された後の配設部６１には、スペース６５が形成される。図８に示されたシャンク５１よりも長いシャンクが、配設部６１に配設されうる。図８に示されたシャンク５１よりも短いシャンクが、配設部６１に配設されてもよい。シャンクの変更により、ソール５３の屈曲位置が調整されうる。インソール５５が剥がされることにより、シャンクが変更されうる。靴セットが、長さの変更が可能な単一のシャンクと靴本体４９とから構成されてもよい。靴セットが、ソールのボールフレックスアングルが変更可能なシャンクと靴本体４９とから構成されてもよい。
【００３１】
図９は、本発明のさらに他の実施形態に係る靴本体６７がシャンク６９と共に示された一部切り欠き断面図である。靴本体６７と、シャンク６９と、このシャンク６９とは長さが異なる１又は２以上のシャンクとにより、靴セットが構成される。靴本体６７は、アッパー５とソール７１とからなる。ソール７１は、インソール７３、ミッドソール７５及びアウトソール７７からなる。インソール７３には、配設部７９が形成されている。配設部７９は、インソール７３の下面から凹陥している。シャンク６９は、高剛性な材料からなる。シャンク６９は配設部７９にはめ込まれている。シャンク６９は、接着剤、スナップ、両面テープ、面ファスナー等の手段により、配設部７９と固定されている。シャンク６９の後端は、配設部７９の後端と当接している。靴本体６７にシャンク６９が配設されることにより、靴８１が完成する。
【００３２】
図９から明らかなように、シャンク６９の長さは配設部７９の長さよりも小さい。従って、シャンク６９が配設された後の配設部７９には、スペース８３が形成される。図９に示されたシャンク６９よりも長いシャンクが、配設部７９に配設されうる。図９に示されたシャンク６９よりも短いシャンクが、配設部７９に配設されてもよい。シャンクの変更により、ソール７１の屈曲位置が調整されうる。インソール７３が剥がされることにより、シャンクが変更されうる。シャンク６９とインソール７３とが、セットで交換されてもよい。靴セットが、長さの変更が可能な単一のシャンクと靴本体６７とから構成されてもよい。靴セットが、ソールのボールフレックスアングルが変更可能なシャンクと靴本体６７とから構成されてもよい。
【００３３】
【実施例】
以下、実施例によって本発明の効果が明らかにされるが、この実施例の記載に基づいて本発明が限定的に解釈されるべきはない。
【００３４】
［比較例］
市販の靴（ウォーキングシューズ）を購入し、比較例とした。この靴の適合足サイズは、２６ｃｍである。この靴は、綿製のアッパーと、エチレン−酢酸ビニル共重合体を主成分とするミッドソールと、ポリブタジエンを主成分とするアウトソールとを備えている。この靴では、土踏まずに相当する箇所が屈曲位置である。
【００３５】
［実施例］
比較例の靴のインソールを引き剥がした。次に、ミッドソールの上面を切削して、配設部を形成した。次に、配設部にシャンクを配設した。次に、インソールを元の位置に戻した。こうして、実施例の靴を得た。シャンクの材質は、スチールである。シャンクの平面形状は、長方形である。シャンクの厚みは１．５ｍｍであり、幅は２０ｍｍである。着用者の足の屈曲位置とソールの屈曲位置とが一致するように、適切な長さのシャンクを選択した。
【００３６】
［実用テスト］
靴を着用した着用者に歩行をさせて、履き心地を評価させた。１０名の着用者のうちの８名が、比較例の靴よりも実施例の靴の方が履き心地が優れていると答えた。この評価結果より、本発明の優位性は明らかである。
【００３７】
【発明の効果】
以上説明されたように、本発明に係る靴部品セットより、着用者に適切な屈曲位置を備えた靴が容易に得られる。
【図面の簡単な説明】
【図１】図１（ａ）は本発明の一実施形態に係る靴本体がシャンクと共に示された一部切り欠き断面図であり、図１（ｂ）はその底面図である。
【図２】図２は、図１のシャンクが示された拡大斜視図である。
【図３】図３は、図１の靴の着用者が歩行しているときの靴が示された一部切り欠き断面図である。
【図４】図４は、本発明の他の実施形態に係る靴セットに含まれるシャンクが示された斜視図である。
【図５】図５（ａ）は図４のシャンクが用いられた靴が示された底面図であり、図５（ｂ）はこの靴の着用者の足の骨格が示された底面図である。
【図６】図６（ａ）は本発明のさらに他の実施形態に係る靴セットに含まれるシャンクが示された平面図であり、図６（ｂ）は図６（ａ）のＢ−Ｂ線に沿った断面図である。
【図７】図７は、本発明のさらに他の実施形態に係る靴セットに含まれるシャンクが示された平面図である。
【図８】図８は、本発明のさらに他の実施形態に係る靴本体がシャンクと共に示された一部切り欠き断面図である。
【図９】図９は、本発明のさらに他の実施形態に係る靴本体がシャンクと共に示された一部切り欠き断面図である。
【符号の説明】
１、４９、６７・・・靴本体
３、２１、２９、３７、５１、６９・・・シャンク
５・・・アッパー
７、５３、７１・・・ソール
９、５５、７３・・・インソール
１１、５７、７５・・・ミッドソール
１３、５９、７７・・・アウトソール
１５、６１、７９・・・配設部
１７、２５、６３、８１・・・靴
２３、３５、４５・・・前端
２７・・・骨格
３１、３９・・・爪先側プレート
３３、４１・・・踵側プレート
４３・・・ヘッド
Ｐ・・・屈曲位置
【図１】
2004167050.tif 000003
【図２】
2004167050.tif 000004
【図３】
2004167050.tif 000005
【図４】
2004167050.tif 000006
【図５】
2004167050.tif 000007
【図６】
2004167050.tif 000008
【図７】
2004167050.tif 000009
【図８】
2004167050.tif 000010
【図９】
2004167050.tif 000011